(57)【要約】【課題】フレキシブルダクトの取り付けが容易で、長年使用しても換気量を維持した騒音の少ない換気装置を提供する。【解決手段】フレキシブルダクトを使用してダクト換気を行うための換気装置であって、給気用のフレキシブルダクトを取り付ける給気口と排気用のフレキシブルダクトを取り付ける排気口とを樹脂製本体ケーシングに一体成形して配設し、当該樹脂製本体ケーシング内に、羽根車と、当該羽根車を取り囲んで送風機を形成する内部ケーシングとを配置して、前記給気口から空気を流入するための給気通路と、当該給気通路から前記羽根車を挟んで前記排気口に空気を流出するための排気通路とを形成し、前記給気口及び／又は前記排気口にフレキシブルダクトをねじ込むための螺子構造を施したことを特徴とする。【選択図】図１
2014009925.tif 000002
【特許請求の範囲】
【請求項１】
フレキシブルダクトを使用してダクト換気を行うための換気装置であって、
給気用のフレキシブルダクトを取り付ける給気口と排気用のフレキシブルダクトを取り付ける排気口とを樹脂製本体ケーシングに一体成形して配設し、
当該樹脂製本体ケーシング内に、羽根車と、当該羽根車を取り囲んで送風機を形成する内部ケーシングとを配置して、前記給気口から空気を流入するための給気通路と、当該給気通路から前記羽根車を挟んで前記排気口に空気を流出するための排気通路とを形成し、
前記給気口及び／又は前記排気口にフレキシブルダクトをねじ込むための螺子構造を施したことを特徴とする換気装置。
【請求項２】
前記給気口及び／又は前記排気口の内径側にフレキシブルダクトをねじ込むための螺子構造を施したことを特徴とする請求項１に記載の換気装置。
【請求項３】
前記樹脂製本体ケーシングが発泡樹脂製であることを特徴とする請求項１又は２に記載の換気装置。
【発明の詳細な説明】
【技術分野】
【０００１】
本発明は、フレキシブルダクトを容易に取り付けることができる換気装置に関するものである。
【背景技術】
【０００２】
フレキシブルダクトを取り付けてダクト換気を行う換気装置においては、従来、換気装置の給気口、排気口にフレキシブルダクトを被せ、テーピングで処理して抜け止めと機密性の維持を図っていた。しかし、テーピング作業時に施工むらが発生し易く、テープの密着性能を確保できない場合が生じていた。また、経年劣化によりテープの粘着力が低下して密着性能を確保できない場合もあった。
【０００３】
特許文献１には、ねじ山を内面に施したコネクターが開示されている。このコネクターによれば、テープを使用せずにフレキシブルダクトの着脱を容易にすることが可能になる。しかし、コネクターと給気口、排気口との取り付けについては、素材が異なると収縮率の違いによってコネクターと給気口、排気口との間で隙間が発生し、予定している換気量を確保できなかったり、隙間を通過する空気によって騒音が発生してしまう。最悪の場合はコネクターが給気口、排気口から抜けてしまうこともある。また、長年の使用によっても、同様に、隙間や抜けが発生することもある。
【先行技術文献】
【特許文献】
【０００４】
【特許文献１】特開２００１−２７３８１号公報
【発明の概要】
【発明が解決しようとする課題】
【０００５】
本発明はこのような事情に対応してなされたものであり、フレキシブルダクトの取り付けが容易で、長年使用しても換気量を維持した騒音の少ない換気装置を提供することにある。
【課題を解決するための手段】
【０００６】
本発明者は、鋭意検討を重ねた結果、本体ケーシングと一体成形された給気口及び／又は排気口に直接螺子構造を施すことで前記課題を達成することを見出し、かかる知見に基づいて本発明に至った。
【０００７】
すなわち、本発明の換気装置は、フレキシブルダクトを使用してダクト換気を行うための換気装置であって、給気用のフレキシブルダクトを取り付ける給気口と排気用のフレキシブルダクトを取り付ける排気口とを樹脂製本体ケーシングに一体成形して配設し、当該樹脂製本体ケーシング内に、羽根車と、当該羽根車を取り囲んで送風機を形成する内部ケーシングとを配置して、前記給気口から空気を流入するための給気通路と、当該給気通路から前記羽根車を挟んで前記排気口に空気を流出するための排気通路とを形成し、前記給気口及び／又は前記排気口にフレキシブルダクトをねじ込むための螺子構造を施したことを特徴とする。
【０００８】
このように、給気口及び／又は排気口自体に螺子構造を施すことで、フレキシブルダクトを給気口及び／又は排気口に直接ねじ込むことができ、コネクターを使用したときのような隙間や抜けの心配が無い。また、螺子構造を施した給気口及び／又は排気口が樹脂製本体ケーシングと一体成形されているので、長年の使用においても気密性を確保することができる。樹脂製本体ケーシングと内部ケーシングは、メンテナンスのため、その一部を開閉可能に構成しているのが好ましい。開閉に都合良くするため、樹脂製本体ケーシングの一部に金属や他の樹脂等の素材を使用することも勿論この発明に含まれる。内部ケーシングについても同様に、一部に他の素材を使用しても良い。
【０００９】
また、本発明において螺子構造は、給気口及び／又は排気口の内径側に施すことが好ましい。螺子構造を内径側に施すことで、給気口及び／排気口の寸法を大きく確保する事ができる為、外径側に施すよりも圧力損失が少なくなる。
【００１０】
また、本発明において樹脂製本体ケーシングを発泡樹脂製とすることができる。発泡スチロールのような発泡樹脂は、厚みを出すことが容易で、給気口及び／又は排気口に螺子構造を施す際に都合が良い。また、厚みを出しても発泡樹脂であれば重量にさほど影響が無い。また、発泡樹脂は弾力性に富むので、フレキシブルダクトをねじ込んだときの気密性が高くなり、空気漏れが少なくなる。
【発明の効果】
【００１１】
本発明によると、フレキシブルダクトの取り付けが容易で、長年使用しても換気量を維持した騒音の少ない換気装置を提供することができる。
【図面の簡単な説明】
【００１２】
【図１】図１は本発明に係る換気装置の全体を示す斜視図である。
【図２】図１の換気装置の分解斜視図である。
【図３】図１の換気装置の本体ケーシング下部を示す斜視図である。
【図４】図１の換気装置の本体ケーシング上部を示す斜視図である。
【図５】図１の換気装置にフレキシブルダクトを接続する方法を示す図である。
【図６】図１の換気装置にフレキシブルダクトを接続した状態を示す図である。
【発明を実施するための形態】
【００１３】
以下、本発明に係る換気装置の実施形態を、図面を参照しながら説明する。なお、以下に説明する部材、配置等は、本発明を限定するものではなく、本発明の趣旨に沿って各種改変することができることは勿論である。
【００１４】
図１〜図４に示すように、この実施形態の換気装置１は、本体ケーシング２、給気口３、排気口４、羽根車５、及び内部ケーシング６を主要な構成要素とし、この換気装置１を電気的に制御するコントローラ２０が備えられている。
【００１５】
本体ケーシング２は、発泡スチロール等の発泡樹脂により、本体ケーシング上部２ａと本体ケーシング下部２ｂとの上下２つ割りに、別個に成形された後、接着剤等で接合されて成る。本体ケーシング下部２ｂの底面は、金属製の開閉板２ｃが、ネジを介して着脱自在な構成となっていて、換気装置のメンテナンス等の際に、この開閉板２ｃを外して作業を行えるようになっている。
【００１６】
給気口３及び排気口４は、本体ケーシング２と一体に成形される。給気口３及び排気口４も、本体ケーシング２と同様に、上下２つ割に成形され、後に接着剤等で接合される。成形の際には、給気口３の内径側に、螺子構造３１を付与しておく。こうすることで、フレキシブルダクト９を、テーピングやコネクター無しに直接給気口３にねじ込ませて取り付けることが可能となる。
【００１７】
本体ケーシング２の内部において、羽根車５を取り囲んでシロッコファンを形成するための内部ケーシング６は、図３に示すように、本体ケーシング下部２ｂと共に一体成形される。しかし、その底面だけは、金属製の底板６ｃが別個に成形される。この底板６ｃは、開閉板２ｃに取り付けられ、換気装置のメンテナンス等の際に、開閉板２ｃと共に外れる構成となっている。内部ケーシング６には、上下に吸込口６１を設け、給気口３から本体ケーシング２内に流入した空気は、内部ケーシング６の上下方向から吸い込まれるようになっている。
【００１８】
羽根車５は、内部に形成されたシロッコファンが上下方向から空気を吸い込むために、両側吸込型のものが用いられる。羽根車５は、本体ケーシング上部２ａに取り付けられたモータ（図示しない）の軸７にナット８を用いて固定される。換気装置のメンテナンス等の際には、開閉板２ｃを底板６ｃと共に外した後、ナット８を外すことで羽根車５を取り出すことができ、メンテナンス等の作業を容易に進めることができる。
【００１９】
本体ケーシング２内に、羽根車５と内部ケーシング６とを配置すると、給気口３から羽根車５までの給気通路と、羽根車５から排気口４までの排気通路とが形成され、ダクト換気を行うための換気装置としての機能を有することになる。このようにして作製された換気装置１は、本体ケーシング上部２ａに設けられた取付金具１０を用いて天井裏に配置される。この際、給気用のフレキシブルダクトを、図５に示すように、給気口３に回転させながら挿入し、ねじ込ませる。図６は、ねじ込ませたフレキシブルダクトを、各部屋に通じさせた換気装置１を示す図である。
【符号の説明】
【００２０】
１    換気装置
２    本体ケーシング
２ａ  本体ケーシング上部
２ｂ  本体ケーシング下部
２ｃ  開閉板
３    給気口
４    排気口
５    羽根車
６    内部ケーシング
６ｃ  底板
７    軸
８    ナット
９    フレキシブルダクト
１０  取付金具
【図１】
2014009925.tif 000003
【図２】
2014009925.tif 000004
【図３】
2014009925.tif 000005
【図４】
2014009925.tif 000006
【図５】
2014009925.tif 000007
【図６】
2014009925.tif 000008